(57)【要約】【課題】自動車シートに対する着脱が容易であり、安価に提供することができる自動車シート用デスクを提供する。【解決手段】デスク支持杆（７）の上端には自動車シート（１）のヘッドレスト（５）に取り外し自在に係止し得るループ状体（９）を備えさせ、該ループ状体をヘッドレストに係止させることによりデスク支持杆が略上下方向に位置するようになし、板状のデスク（１１）には該デスクを水平の回動軸（１３）を介して上下方向に回動自在に保持するデスク保持体（１５）を備えさせ、該デスク保持体にはデスク支持杆よりも太い挿通孔（１７）を備えさせ、該デスク保持体の挿通孔にデスク支持杆を挿通させ、該デスク保持体には該デスク保持体を上下に貫くボルト（１９）を螺合し、該ボルトの下端（１９ａ）がデスクの基端部（１１ａ）に当接することにより該デスクが所定の角度に保持される。【選択図】　図１
2004057291.tif 000002
【特許請求の範囲】
【請求項１】
デスク支持杆の上端には自動車シートのヘッドレストに取り外し自在に係止し得るループ状体を備えさせ、該ループ状体をヘッドレストに係止させることによりデスク支持杆が略上下方向に位置するようになし、板状のデスクには該デスクを水平の回動軸を介して上下方向に回動自在に保持するデスク保持体を備えさせ、該デスク保持体にはデスク支持杆よりも太い挿通孔を備えさせ、該デスク保持体の挿通孔にデスク支持杆を挿通させ、該デスク保持体には該デスク保持体を上下に貫くボルトを螺合し、該ボルトの下端がデスクの基端部に当接することにより該デスクが所定の角度に保持されるようにしたことを特徴とする自動車シート用デスク。
【請求項２】
前記デスク支持杆は左右一対を平行に形成し、前記デスクには前記デスク保持体を左右一対備えさせ、各デスク保持体の挿通孔には対応するデスク支持杆を挿通させたことを特徴とする請求項１の自動車シート用デスク。
【請求項３】
前記デスク支持杆は、自動車シートにおけるシートバックの前面と後面とのいずれにも取り付けることができることを特徴とする請求項１又は２の自動車シート用デスク。
【発明の詳細な説明】
【０００１】
【発明の属する技術分野】
本発明は、自動車シート用デスクに関するものであり、更に詳しくは、自動車のシートに高さ調節自在且つ角度調節自在に取り付けられる自動車シート用デスクに係るものである。本発明による自動車シート用デスクは、例えば、自動車内でパソコンを使用し、事務を執り、或いは食事を取る等の際の台として使用される。
【０００２】
【従来の技術】
自動車シート用デスクは既に種々のものが知られている。これら従来の自動車シート用デスクは、板状のデスクを種々の取り付け手段、支持手段等を介して自動車のシートバックに取り付けてなるものである。
【０００３】
【発明が解決しようとする課題】
しかるに、上記従来の自動車シート用デスクにおいては、板状のデスクを自動車のシートバックに取り付けている取り付け手段、支持手段等が極めて複雑であり、製造コストが嵩むという問題がある。また、上記従来の自動車シート用デスクは自動車のシートバックに対する取り付け、取り外しが面倒であるという問題もある。
【０００４】
本発明は上記従来の自動車シート用デスクにおける上述の如き問題を解決しようとしてなされたものである。
【０００５】
【課題を解決するための手段】
上記従来の課題を解決するために、本発明は下記の自動車シート用デスクを提供するものである。
【０００６】
（１）デスク支持杆の上端には自動車シートのヘッドレストに取り外し自在に係止し得るループ状体を備えさせ、該ループ状体をヘッドレストに係止させることによりデスク支持杆が略上下方向に位置するようになし、板状のデスクには該デスクを水平の回動軸を介して上下方向に回動自在に保持するデスク保持体を備えさせ、該デスク保持体にはデスク支持杆よりも太い挿通孔を備えさせ、該デスク保持体の挿通孔にデスク支持杆を挿通させ、該デスク保持体には該デスク保持体を上下に貫くボルトを螺合し、該ボルトの下端がデスクの基端部に当接することにより該デスクが所定の角度に保持されるようにしたことを特徴とする自動車シート用デスク（請求項１）。
【０００７】
（２）前記デスク支持杆は左右一対を平行に形成し、前記デスクには前記デスク保持体を左右一対備えさせ、各デスク保持体の挿通孔には対応するデスク支持杆を挿通させる（請求項２）。
【０００８】
（３）前記デスク支持杆は、自動車シートにおけるシートバックの前面と後面とのいずれにも取り付けることができる（請求項３）。
【０００９】
【作用】
［請求項１の自動車シート用デスク］
デスク支持杆の上端には自動車シートのヘッドレストに取り外し自在に係止し得るループ状体を備えさせているため、自動車シートに対する自動車シート用デスクの着脱は極めて容易である。
【００１０】
デスク保持体は、主としてデスクの自重と該デスク上に載置される物の重量とにより、常時デスク支持杆に対し傾斜した状態にある。換言すれば、該デスク保持体の挿通孔は下端におけるデスク側の部分（図４、図５における符号ａ参照）と上端におけるデスク側と反対側の部分（図４、図５における符号ｂ参照）とがデスク支持杆に圧接する。従って、デスク保持体はデスク支持杆に対し高さが固定された状態となる。その結果、デスク保持体に取り付けられているデスクの高さも固定されることになる。
【００１１】
デスクの高さを調節する際には、例えばデスクを手で軽く持ち上げることによりデスク保持体の挿通孔がデスク支持杆と略平行になるようにした状態でデスクをデスク保持体と共に上下方向に所望の高さまで動かす。デスクから手を離せば、該デスクの自重によりデスク保持体がデスク支持杆に対して再び傾斜した状態となり、デスクは高さが固定される。
【００１２】
デスクの基端部は、該デスクの自重と該デスク上に載置される物の重量とにより、常時上方に回動する傾向を有するのであるが、デスク保持体に上下方向に螺合されたボルトの下端がデスクの基端部に当接することにより該デスクが回動することなく所定の角度に保持される。
【００１３】
デスクの傾斜角度を調整する際には、デスク保持体に上下方向に螺合されたボルトを回転させて該ボルトの下端の高さを変えればよい。しかるときは、デスクの基端部は、前述の如く、常時上方に回動する傾向を有するのであるが、該ボルトにおける高さが調節された下端がデスクの基端部に当接することにより該デスクが当該所望の角度に保持される。
【００１４】
［請求項２の自動車シート用デスク］
左右一対のデスク支持杆に左右一対のデスク保持体を保持させるようにしたため、デスクは極めて安定する。
【００１５】
［請求項３の自動車シート用デスク］
デスク支持杆を自動車のフロントシートにおけるシートバックの前面に取り付けたときには、デスクは該フロントシートの前側に位置し、該フロントシート側傍のフロントシートにて使用される（図１参照）。デスク支持杆を自動車のリヤシートにおけるシートバックの前面に取り付けたときには、デスクは該リヤシートの前側に位置し、フロントシートにて使用される（図１参照）。デスク支持杆を自動車のフロントシートにおけるシートバックの後面に取り付けたときには、デスクは該フロントシートの後側に位置し、リヤシートにて使用される（図２参照）。
【００１６】
【発明の実施の形態】
次に、本発明の実施の形態を添付図面に従って説明する。
符号１に示すものは自動車シート、符号３に示すものは自動車シート１のシートバック、符号５に示すものは自動車シート１のヘッドレストである。
【００１７】
デスク支持杆７の上端には自動車シート１のヘッドレスト５に取り外し自在に係止し得るループ状体９を備えさせ、該ループ状体９をヘッドレスト５に係止させることによりデスク支持杆７が略上下方向に位置するようになす。
【００１８】
板状のデスク１１には該デスク１１を水平の回動軸１３を介して上下方向に回動自在に保持するデスク保持体１５を備えさせる。
【００１９】
デスク保持体１５にはデスク支持杆７よりも太い挿通孔１７を備えさせ、該デスク保持体１５の挿通孔１７にデスク支持杆７を挿通させる。
【００２０】
デスク保持体１５には該デスク保持体１５を上下に貫くボルト１９を螺合し、該ボルト１９の下端１９ａがデスク１１の基端部１１ａに当接することにより該デスク１１が所定の角度に保持されるようになす。
【００２１】
図示の事例においては、デスク支持杆７は左右一対を平行に形成し、デスク１１の基部には左右一対の突起２１を突設し、デスク保持体１５を左右一対備えさせ、各デスク保持体１５の挿通孔１７には対応するデスク支持杆７を挿通させている。
【００２２】
デスク支持杆７は、自動車シート１におけるシートバック３の前面と後面とのいずれにも取り付けることができる。
【００２３】
【発明の効果】
以上説明したように、本発明においては、デスク支持杆の上端には自動車シートのヘッドレストに取り外し自在に係止し得るループ状体を備えさせているため、自動車シートに対する自動車シート用デスクの着脱は極めて容易である。
【００２４】
また、本発明による自動車シート用デスクは構造が簡単であり、安価に提供することができる。
【図面の簡単な説明】
【図１】本発明による自動車シート用デスクを自動車シートに取り付けた状態の一例を示す斜視図である。
【図２】本発明による自動車シート用デスクを自動車シートに取り付けた状態の別の一例を示す斜視図である。
【図３】デスクが一定の角度にあるときのデスクとデスク支持杆とデスク保持体とを示す断面図である。
【図４】デスクが別の角度にあるときのデスクとデスク支持杆とデスク保持体とを示す断面図である。
【図５】デスクが更に別の角度にあるときのデスクとデスク支持杆とデスク保持体とを示す断面図である。
【符号の説明】
１　自動車シート
３　シートバック
５　ヘッドレスト
７　デスク支持杆
９　ループ状体
１１　デスク
１１ａ　基端部
１３　回動軸
１５　デスク保持体
１７　挿通孔
１９　ボルト
１９ａ　下端
２１　突起
【図１】
2004057291.tif 000003
【図２】
2004057291.tif 000004
【図３】
2004057291.tif 000005
【図４】
2004057291.tif 000006
【図５】
2004057291.tif 000007